(57)【要約】【課題】ＡＶデータの再生の際、再生中断時でも中断前までのストーリを容易に把握したり、登場人物などのキャラクタに関する付属情報を適宜表示させることを可能とする。【解決手段】ＡＶデータ記録媒体１０に記録したＡＶデータの本編ファイル１０１を一つ以上の章１０１ａ，１０１ｂ，…に区分けして記録し、区分けした各章それぞれに関連する粗筋をダイジェストデータ１０２ａ，１０２ｂ，…として記録したダイジェストファイル１０２を本編ファイル１０１の各章毎に対応付けて、本編ファイル１０１と同一又は異なるＡＶデータ記録媒体１０に記録し、中断した本編ファイル１０１を再生する際に、中断するまでの各章に対応するダイジェストファイル１０２を再生した後、中断した本編ファイル１０１を再生する。また、ダイジェストファイル１０２の代わりに、登場人物などのキャラクタに関する付属情報を記録し、再生すべき該付属情報の種別を選択可能とする。【選択図】        図１
2005025797.tif 000002
【特許請求の範囲】
【請求項１】
ＡＶデータを任意の記録媒体に記録するＡＶデータ記録方法において、前記記録媒体に一つ以上の区間に区分けして第１のＡＶデータを記録すると共に、前記記録媒体に記録された前記第１のＡＶデータの前記区間それぞれに関連する情報を有する第２のＡＶデータを前記第１のＡＶデータの前記区間毎に対応付けして、前記第１のＡＶデータを記録した前記記録媒体と同一又は異なる記録媒体に記録することを特徴とするＡＶデータ記録方法。
【請求項２】
請求項１に記載のＡＶデータ記録方法において、前記第１のＡＶデータの前記区間毎に対応付けして記録される前記第２のＡＶデータとして、前記第１のＡＶデータの先頭の区間から開始して、当該第２のＡＶデータが対応付けられた当該区間よりも一つ手前の区間に至るまでの各区間を識別することが可能な区間識別情報を含んでいることを特徴とするＡＶデータ記録方法。
【請求項３】
任意の記録媒体に記録されたＡＶデータを再生するＡＶデータ再生方法において、前記記録媒体に一つ以上の区間に区分けされて記録された第１のＡＶデータと、前記第１のＡＶデータを記録した前記記録媒体と同一又は異なる記録媒体に、前記第１のＡＶデータの前記区間毎に対応付けして記録された、前記第１のＡＶデータの前記区間それぞれに関連する情報を有する第２のＡＶデータと、のいずれかを切り替えて再生することができることを特徴とするＡＶデータ再生方法。
【請求項４】
請求項３に記載のＡＶデータ再生方法において、前記第２のＡＶデータを再生する場合、前記第１のＡＶデータの前記区間のうち未だ再生していない区間に対応付けられた前記第２のＡＶデータを再生しないようにすることを特徴とするＡＶデータ再生方法。
【請求項５】
請求項３又は４に記載のＡＶデータ再生方法において、前記第１のＡＶデータの前記区間毎に対応付けられた前記第２のＡＶデータが、対応する前記第１のＡＶデータの当該区間毎の粗筋を示すダイジェストデータであることを特徴とするＡＶデータ再生方法。
【請求項６】
請求項３又は４に記載のＡＶデータ再生方法において、前記第１のＡＶデータの前記区間毎に対応付けられた前記第２のＡＶデータが、対応する前記第１のＡＶデータの当該区間毎に登場する一つ以上のキャラクタに関する概要を示す付属情報であることを特徴とするＡＶデータ再生方法。
【請求項７】
請求項６に記載のＡＶデータ再生方法において、前記付属情報の種別として、対応する前記第１のＡＶデータの当該区間毎に登場する登場人物の人物紹介データ、該登場人物間の人物関係を示す情報、該登場人物が取得したアイテムに関する関連情報、あるいは、対応する前記第１のＡＶデータの当該区間毎に登場する動物やアイテムに関する関連情報のうち、１乃至複数の種別を含んでいることを特徴とするＡＶデータ再生方法。
【請求項８】
請求項５乃至７のいずれかに記載のＡＶデータ再生方法において、前記第２のＡＶデータを再生する場合に、再生すべき前記第２のＡＶデータとして、前記ダイジェストデータ、又は、前記付属情報のいずれかの前記種別を選択して再生させることができることを特徴とするＡＶデータ再生方法。
【請求項９】
請求項３乃至８のいずれかに記載のＡＶデータ再生方法において、前記第２のＡＶデータを再生する場合に、前記第１のＡＶデータの先頭の区間から開始して、前記第１のＡＶデータの未だ再生していない区間よりも一つ手前の区間に至るまでの各区間に対応付けられた前記第２のＡＶデータの情報を再生することを特徴とするＡＶデータ再生方法。
【請求項１０】
請求項３乃至９のいずれかに記載のＡＶデータ再生方法において、前記第２のＡＶデータの再生が終了した際、あるいは、ユーザが前記第１のＡＶデータの再生への切り替えを指示した際、前記第１のＡＶデータの前記区間のうち、未だ再生途中にあり再生を完了していない区間の先頭から、あるいは、未だ全く再生していない区間の先頭から再生を開始することを特徴とするＡＶデータ再生方法。
【請求項１１】
請求項３乃至９のいずれかに記載のＡＶデータ再生方法において、前記第１のＡＶデータの前記区間のいずれかの区間の再生途中に、再生の中断指示がなされるか、あるいは、前記第２のＡＶデータの再生への切り替え指示がなされて、前記第１のＡＶデータの再生を前記区間の途中で中断した後、前記第２のＡＶデータを再生していた場合に、前記第２のＡＶデータの再生が終了した際、あるいは、ユーザが前記第１のＡＶデータの再生への切り替えを指示した際、再生を中断した位置から前記第１のＡＶデータの再生を再開することを特徴とするＡＶデータ再生方法。
【請求項１２】
請求項３乃至１１のいずれかに記載のＡＶデータ再生方法において、前記第１のＡＶデータの前記区間毎に対応付けして記録される前記第２のＡＶデータとして、前記第１のＡＶデータの先頭の区間から開始して、当該第２のＡＶデータが対応付けられた当該区間よりも一つ手前の区間に至るまでの各区間を識別することが可能な区間識別情報を含み、前記第２のＡＶデータの再生が指示された際に、前記区間識別情報に基づいて、先頭の区間に対応付けられた前記第２のＡＶデータから再生を開始して、前記区間識別情報に指定されている前記一つ手前の区間に至るまでの各区間に対応付けられた前記第２のＡＶデータそれぞれの再生を行なうことを特徴とするＡＶデータ再生方法。
【請求項１３】
ＡＶデータが記録されるＡＶデータ記録媒体において、一つ以上の区間に区分けして第１のＡＶデータを記録すると共に、記録された前記第１のＡＶデータの前記区間それぞれに関連する情報を有する第２のＡＶデータを前記第１のＡＶデータの前記区間毎に対応付けして、前記第１のＡＶデータを記録したＡＶデータ記録媒体と同一又は異なるＡＶデータ記録媒体に記録することを特徴とするＡＶデータ記録媒体。
【請求項１４】
請求項１３に記載のＡＶデータ記録媒体において、前記第１のＡＶデータの前記区間毎に対応付けして記録される前記第２のＡＶデータとして、前記第１のＡＶデータの先頭の区間から開始して、当該第２のＡＶデータが対応付けられた当該区間よりも一つ手前の区間に至るまでの各区間を識別することが可能な区間識別情報を含んでいることを特徴とするＡＶデータ記録媒体。
【発明の詳細な説明】
【０００１】
【発明の属する技術分野】
本発明は、ＡＶデータ記録方法、ＡＶデータ再生方法、及び、ＡＶデータ記録媒体に関し、ＡＶデータをＡＶデータ記録媒体に記録する際のＡＶデータの記録方法、ＡＶデータ記録媒体に記録されたＡＶデータを再生するＡＶデータ再生方法、及び、ＡＶデータの記録再生を行なうＡＶデータ記録媒体に関する。
【０００２】
【従来の技術】
近年、ＤＶＤなどの普及に伴い、自宅で好きな時間帯にＤＶＤに記録されている映画などのコンテンツを再生して視聴する機会が増加してきている。ＤＶＤなどを用いて映画などのコンテンツを視聴する場合、任意の時刻に視聴を中断することができ、任意の時刻に中断した続きを視聴することができる環境が提供されている。しかしながら、中断した期間が長くなると、前回までに視聴した内容を充分に覚えていることは難しい状況に陥る。
【０００３】
かくのごとき課題に対して、特許文献１に示す特開平１１−２７３２２７号公報「続き再生時のダイジェスト再生機能付きＤＶＤビデオ再生システム」においては、中断箇所までの各章（チャプタ）毎にコンテンツを一定時間ダイジェスト再生するシステムが提案されている。即ち、該公報によれば、続き再生するコンテンツに関するダイジェストとして、中断した箇所を含む章の先頭から、もしくは、中断した章内でユーザが再生時に予め指定しておいた箇所から、一定時間の間、ダイジェストとして再生した後、中断していた箇所から続きを再生することを可能としている。
【０００４】
【特許文献１】
特開平１１−２７３２２７号公報（第３−第５頁、図３）
【０００５】
【発明が解決しようとする課題】
しかしながら、前記特許文献１に示す技術のように、中断した章（チャプタ）の先頭から一定時間の間をダイジェストとしたり、コンテンツを最後まで見ていない、つまり、コンテンツの内容を完全には把握していないユーザが、予め指定した箇所から一定時間の間をダイジェストとするような方法では、かかるダイジェストが、ユーザにとって中断前の内容を思い出すための最適なシナリオとなっているとは言い難い。また、かくのごとき方法で作成されたダイジェストは、映画などのコンテンツ本編そのものの内容からなっており、例えば、テレビ放送における映画解説の音声や映像シーンのようなＡＶデータが挿入されるということもなく、ユーザは、ダイジェストを視聴したとしても、中断前のシナリオを容易には思い出すことができない場合が多い。
【０００６】
本発明は、かかる事情に鑑みてなされたものであり、ＤＶＤなどを含む任意の記録媒体に記録する映画などのＡＶデータを一つ以上の区間に区分けして第１のＡＶデータとして記録し、該区間毎に関連する情報、例えば粗筋を示すダイジェストあるいは登場人物などのキャラクタに関する概要を含む付属情報を第２のＡＶデータとして前記区間毎に対応付けして記録することにより、ダイジェスト再生として第２のＡＶデータを再生することにより、ユーザが中断前までのストーリを容易に思い出すことを可能としたり、あるいは、登場人物などのキャラクタに関する付属情報を適宜表示させることを可能とすることを目的としている。
【０００７】
【課題を解決するための手段】
【０００８】
第１の技術手段は、ＡＶデータを任意の記録媒体に記録するＡＶデータ記録方法において、前記記録媒体に一つ以上の区間に区分けして第１のＡＶデータを記録すると共に、前記記録媒体に記録された前記第１のＡＶデータの前記区間それぞれに関連する情報を有する第２のＡＶデータを前記第１のＡＶデータの前記区間毎に対応付けして、前記第１のＡＶデータを記録した前記記録媒体と同一又は異なる記録媒体に記録するＡＶデータ記録方法とすることを特徴とするものである。
【０００９】
第２の技術手段は、前記第１の技術手段に記載のＡＶデータ記録方法において、前記第１のＡＶデータの前記区間毎に対応付けして記録される前記第２のＡＶデータとして、前記第１のＡＶデータの先頭の区間から開始して、当該第２のＡＶデータが対応付けられた当該区間よりも一つ手前の区間に至るまでの各区間を識別することが可能な区間識別情報を含んでいるＡＶデータ記録方法とすることを特徴とするものである。
【００１０】
第３の技術手段は、任意の記録媒体に記録されたＡＶデータを再生するＡＶデータ再生方法において、前記記録媒体に一つ以上の区間に区分けされて記録された第１のＡＶデータと、前記第１のＡＶデータを記録した前記記録媒体と同一又は異なる記録媒体に、前記第１のＡＶデータの前記区間毎に対応付けして記録された、前記第１のＡＶデータの前記区間それぞれに関連する情報を有する第２のＡＶデータと、のいずれかを切り替えて再生することができるＡＶデータ再生方法とすることを特徴とするものである。
【００１１】
第４の技術手段は、前記第３の技術手段に記載のＡＶデータ再生方法において、前記第２のＡＶデータを再生する場合、前記第１のＡＶデータの前記区間のうち未だ再生していない区間に対応付けられた前記第２のＡＶデータを再生しないようにするＡＶデータ再生方法とすることを特徴とするものである。
【００１２】
第５の技術手段は、前記第３又は第４の技術手段に記載のＡＶデータ再生方法において、前記第１のＡＶデータの前記区間毎に対応付けられた前記第２のＡＶデータが、対応する前記第１のＡＶデータの当該区間毎の粗筋を示すダイジェストデータであるＡＶデータ再生方法とすることを特徴とするものである。
【００１３】
第６の技術手段は、前記第３又は第４の技術手段に記載のＡＶデータ再生方法において、前記第１のＡＶデータの前記区間毎に対応付けられた前記第２のＡＶデータが、対応する前記第１のＡＶデータの当該区間毎に登場する一つ以上のキャラクタに関する概要を示す付属情報であるＡＶデータ再生方法とすることを特徴とするものである。
【００１４】
第７の技術手段は、前記第６の技術手段に記載のＡＶデータ再生方法において、前記付属情報の種別として、対応する前記第１のＡＶデータの当該区間毎に登場する登場人物の人物紹介データ、該登場人物間の人物関係を示す情報、該登場人物が取得したアイテムに関する関連情報、あるいは、対応する前記第１のＡＶデータの当該区間毎に登場する動物やアイテムに関する関連情報のうち、１乃至複数の種別を含んでいるＡＶデータ再生方法とすることを特徴とするものである。
【００１５】
第８の技術手段は、前記第５乃至第７の技術手段のいずれかに記載のＡＶデータ再生方法において、前記第２のＡＶデータを再生する場合に、再生すべき前記第２のＡＶデータとして、前記ダイジェストデータ、又は、前記付属情報のいずれかの前記種別を選択して再生させることができるＡＶデータ再生方法とすることを特徴とするものである。
【００１６】
第９の技術手段は、前記第３乃至第８の技術手段のいずれかに記載のＡＶデータ再生方法において、前記第２のＡＶデータを再生する場合に、前記第１のＡＶデータの先頭の区間から開始して、前記第１のＡＶデータの未だ再生していない区間よりも一つ手前の区間に至るまでの各区間に対応付けられた前記第２のＡＶデータの情報を再生するＡＶデータ再生方法とすることを特徴とするものである。
【００１７】
第１０の技術手段は、前記第３乃至第９の技術手段のいずれかに記載のＡＶデータ再生方法において、前記第２のＡＶデータの再生が終了した際、あるいは、ユーザが前記第１のＡＶデータの再生への切り替えを指示した際、前記第１のＡＶデータの前記区間のうち、未だ再生途中にあり再生を完了していない区間の先頭から、あるいは、未だ全く再生していない区間の先頭から再生を開始するＡＶデータ再生方法とすることを特徴とするものである。
【００１８】
第１１の技術手段は、前記第３乃至第９の技術手段のいずれかに記載のＡＶデータ再生方法において、前記第１のＡＶデータの前記区間のいずれかの区間の再生途中に、再生の中断指示がなされるか、あるいは、前記第２のＡＶデータの再生への切り替え指示がなされて、前記第１のＡＶデータの再生を前記区間の途中で中断した後、前記第２のＡＶデータを再生していた場合に、前記第２のＡＶデータの再生が終了した際、あるいは、ユーザが前記第１のＡＶデータの再生への切り替えを指示した際、再生を中断した位置から前記第１のＡＶデータの再生を再開するＡＶデータ再生方法とすることを特徴とするものである。
【００１９】
第１２の技術手段は、前記第３乃至第１１の技術手段のいずれかに記載のＡＶデータ再生方法において、前記第１のＡＶデータの前記区間毎に対応付けして記録される前記第２のＡＶデータとして、前記第１のＡＶデータの先頭の区間から開始して、当該第２のＡＶデータが対応付けられた当該区間よりも一つ手前の区間に至るまでの各区間を識別することが可能な区間識別情報を含み、前記第２のＡＶデータの再生が指示された際に、前記区間識別情報に基づいて、先頭の区間に対応付けられた前記第２のＡＶデータから再生を開始して、前記区間識別情報に指定されている前記一つ手前の区間に至るまでの各区間に対応付けられた前記第２のＡＶデータそれぞれの再生を行なうＡＶデータ再生方法とすることを特徴とするものである。
【００２０】
第１３の技術手段は、ＡＶデータが記録されるＡＶデータ記録媒体において、一つ以上の区間に区分けして第１のＡＶデータを記録すると共に、記録された前記第１のＡＶデータの前記区間それぞれに関連する情報を有する第２のＡＶデータを前記第１のＡＶデータの前記区間毎に対応付けして、前記第１のＡＶデータを記録したＡＶデータ記録媒体と同一又は異なるＡＶデータ記録媒体に記録するＡＶデータ記録媒体とすることを特徴とするものである。
【００２１】
第１４の技術手段は、前記第１３の技術手段に記載のＡＶデータ記録媒体において、前記第１のＡＶデータの前記区間毎に対応付けして記録される前記第２のＡＶデータとして、前記第１のＡＶデータの先頭の区間から開始して、当該第２のＡＶデータが対応付けられた当該区間よりも一つ手前の区間に至るまでの各区間を識別することが可能な区間識別情報を含んでいるＡＶデータ記録媒体とすることを特徴とするものである。
【００２２】
【発明の実施の形態】
以下に、本発明に係るＡＶデータ記録方法、ＡＶデータ再生方法、及び、ＡＶデータ記録媒体の実施例について、図面を参照しながら説明する。
まず、第１の実施例として、ＡＶデータ記録媒体に記録するＡＶデータの最も基本的な構成例について図１を用いて説明する。図１は、本発明に係るＡＶデータ記録媒体に記録するＡＶデータに関するファイル構成の一例を示すファイル構成図である。
【００２３】
図１に示すように、ＡＶデータ記録媒体１０には、１つのＡＶデータのファイル毎に、当該ＡＶデータに関するコンテンツ（例えば映画）の本編が記録された第１のＡＶデータである本編ファイル１０１と、該本編のコンテンツの粗筋を示すダイジェストコンテンツが記録された第２のＡＶデータであるダイジェストファイル１０２と、第１のＡＶデータである本編ファイル１０１と第２のＡＶデータであるダイジェストファイル１０２との対応関係を示す情報が記録された関連付け情報ファイル１０３とが記録されている。
【００２４】
図１には、本編ファイル１０１、ダイジェストファイル１０２、及び、関連付け情報ファイル１０３を、別々のファイルとして構成している場合を示しているが、本発明においては、かかる各ファイルを全て同一のファイルもしくは複数個のファイルとして纏めて構成するようにしても良い。あるいは、各ファイル毎に、それぞれが、又は、複数のファイルと残りのファイルとが、異なる別個のＡＶデータ記録媒体１０に記録されて構成するようにしても良い。
【００２５】
また、本編ファイル１０１は、一つ以上の区間即ち章（チャプタ）に区分けされて構成されており、図１に示すファイル構成例においては、４つの章（チャプタ）に区分けされている例を示している。ここで、各章（チャプタ）のシナリオは、時間順に、本編章Ａ１０１ａ、本編章Ｂ１０１ｂ、本編章Ｃ１０１ｃ、本編章Ｄ１０１ｄの順番とされているものとする。また、ダイジェストファイル１０２も本編の各章に対応してダイジェストデータＡ１０２ａ、ダイジェストデータＢ１０２ｂ、ダイジェストデータＣ１０２ｃ、ダイジェストデータＤ１０２ｄにそれぞれ区分けされていて、本編ファイル１０１の各章の粗筋を示す情報として各章に対応付けして記録されている。
【００２６】
本編の各章と対応する各ダイジェストデータとの対応関係を示したファイルが関連付け情報ファイル１０３である。図１に示すファイル構成例においては、関連付け情報ファイル１０３として、本編章Ａ１０１ａの開始時刻「００：００：００」とダイジェストデータＡ１０２ａの開始時刻「００：００：００」との対応を示す関連付け情報Ａ１０３ａ、本編章Ｂ１０１ｂの開始時刻「００：１５：００」とダイジェストデータＢ１０２ｂの開始時刻「００：０５：００」との対応を示す関連付け情報Ｂ１０３ｂ、本編章Ｃ１０１ｃの開始時刻「００：３５：２０」とダイジェストデータＣ１０２ｃの開始時刻「００：０９：３０」との対応を示す関連付け情報Ｃ１０３ｃ、本編章Ｄ１０１ｄの開始時刻「００：５０：２０」とダイジェストＤ１０２ｄの開始時刻「００：１３：５０」との対応を示す関連付け情報Ｄ１０３ｄ、及び、本編ファイル１０１の最終を示す本編章Ｄ１０１ｄの終了時刻「０１：０６：３０」とダイジェストデータＤ１０２ｄの終了時刻「００：１８：００」との対応を示す関連付け情報Ｅ１０３ｅとがそれぞれ記録されている。
【００２７】
但し、関連付け情報ファイル１０３は、かくのごとき開始・終了時刻を示す時刻情報に限られるものではなく、本編ファイルの各章（チャプタ）のオフセット位置、章（チャプタ）番号などのように、本編ファイル１０１とダイジェストファイル１０２との区間毎の対応付けが可能な情報であれば、如何なる情報を用いても構わない。また、図１に示すファイル構成例においては、本編各章及び対応する各ダイジェストデータの終了時刻と、本編の次の章及び対応するダイジェストデータの開始時刻とが、同一時刻である例を示しているため、本編各章及び対応する各ダイジェストデータの終了時刻を省略した形式としている。
【００２８】
しかし、本編各章及び対応する各ダイジェストデータの終了時刻と、本編の次の章及び対応するダイジェストデータの開始時刻とが、異なっている時刻であっても良く、かかる場合においては、本編各章及び対応する各ダイジェストデータの終了時刻と、本編の次の章及び対応するダイジェストデータの開始時刻との両方の時刻に対応して、それぞれの区間を関連付けることが必要である。
【００２９】
ここで、本編ファイル１０１とダイジェストファイル１０２とが再生順序を示すプログラムとして記録されている場合であるものとして、それぞれのプログラムが参照するコンテンツが格納されている各トラックの構成例について図２を用いて説明する。図２は、各プログラムにより参照されるコンテンツが格納されているトラック構成の一例を示すトラック構成図である。
【００３０】
図１に示す本編ファイル１０１のうちの本編章Ａ１０１ａは、本編章Ａのオーディオ情報が記録されているオーディオトラック２０１と本編章Ａのビデオ情報が記録されているビデオトラック２０２とを参照する。また、ダイジェストファイル１０２のうちのダイジェストデータＡ１０２ａは、本編章Ａのビデオトラック２０２の一部（粗筋を示すビデオ情報）であるダイジェスト用ビデオトラック２０２ａ、２０２ｂ、２０２ｃと、それぞれのダイジェスト用ビデオトラックに対応するダイジェスト用オーディオトラック２０３ａ、２０３ｂ、２０３ｃとを参照している。
【００３１】
ここで、ダイジェスト用オーディオトラックとして、本編のオーディオトラック２０１とは異なるオーディオトラックのオーディオデータを参照させているのは、ダイジェストコンテンツとして利用されるオーディオデータとして、本編章Ａ１０１ａのコンテンツを解説している解説音声が挿入されている場合を想定したものであるが、本発明は、かくのごとく、本編のオーディオトラック２０１と異なるオーディオトラックのオーディオデータのみに限定されるものではなく、ビデオ情報の場合と同様に、ダイジェスト用オーディオコンテンツとして本編のオーディオトラック２０１のオーディオデータを使っても良い。
【００３２】
また、図２に示すトラック構成例においては、ダイジェストコンテンツとして、本編のビデオトラック２０２に記録されている一部のビデオデータを利用することによって、ダイジェストコンテンツ容量の節約を実現しているが、本編のビデオトラック２０２とは全く異なる別個のビデオトラックを参照するようにしても良い。
【００３３】
なお、図２に示すトラック構成例として、本編章Ａ１０１ａ及びダイジェストデータＡ１０２ａについて説明したが、その他の本編章Ｂ１０１ｂ、本編章Ｃ１０１ｃ、本編章Ｄ１０１ｄ、及び、本編各章それぞれに対応するダイジェストデータＢ１０２ｂ、ダイジェストデータＣ１０２ｃ、ダイジェストデータＤ１０２ｄについても全く同様の構成を適用することができる。
また、図２に示すトラック構成例においては、本編ファイル１０１、ダイジェストファイル１０２がコンテンツの再生順序を示すプログラムであるものとして説明したが、本編ファイル１０１、ダイジェストファイル１０２がビデオ及びオーディオの各トラックのデータを含むような形式のものであっても良い。更に、かかる各トラックのデータが、シームレス再生を保証するために多重化されて構成されていても良い。
【００３４】
次に、図１、図２に示すようなファイル形式でＡＶデータ記録媒体１０に記録されているコンテンツ（ＡＶデータ）を再生する際の動作についてフローチャートを用いて説明する。ここに、図３は、ＡＶデータ記録媒体１０に記録されているコンテンツの再生中断後、ダイジェストデータを再生する際の動作を説明するための動作フローチャートである。
まず、ユーザは、視聴したいＡＶデータが記録されているＡＶデータ記録媒体１０をＡＶデータ再生装置に装着して、当該ＡＶデータの先頭から第１のＡＶデータである本編ファイル１０１の視聴を開始する（ステップＳ３０１）。当該ＡＶデータの本編ファイル１０１の視聴途中で、なんらかの理由によりユーザによって再生を中断する操作がなされると（ステップＳ３０２）、ＡＶデータの再生を制御しているＡＶデータ再生装置は、当該ＡＶデータの本編ファイル１０１の再生を中断した位置即ち再生中断位置を一旦記憶した後（ステップＳ３０３）、本編ファイル１０１の再生を中止してユーザは視聴を終了する（ステップＳ３０４）。
【００３５】
ユーザが、別の機会に、再生中断した前記ＡＶデータが記録されているＡＶデータ記録媒体１０をＡＶデータ再生装置に装着し直して、当該ＡＶデータの本編ファイル１０１の続きを視聴する操作を行ない（ステップＳ３０５）、更に、ユーザが、以前視聴した位置までの当該ＡＶデータの本編ファイル１０１の粗筋を把握するために、第２のＡＶデータであるダイジェストファイル１０２の再生を要求するダイジェスト再生を選択すると、当該ＡＶデータのダイジェストファイル１０２を先頭から順次再生する動作が開始される（ステップＳ３０６）。ここで、ユーザによってＡＶデータの本編ファイル１０１を再生する指示ではなく、ダイジェストファイル１０２の再生指示がなされているので（ステップＳ３０７のＮＯ）、次に、ステップＳ３０３においてＡＶデータ再生装置に記憶されている当該ＡＶデータの本編ファイル１０１の再生中断位置を、現在、ダイジェスト再生しているダイジェストファイル１０２の再生位置と照合する（ステップＳ３０８）。
【００３６】
ここで、記憶されている当該ＡＶデータの本編ファイル１０１の再生中断位置が、例えば図１における本編章Ｃ１０１ｃに含まれていたとすると、対応するダイジェストファイル１０２のダイジェストコンテンツは、ダイジェストデータＣ１０２ｃである。従って、ステップＳ３０８において、現在、ダイジェスト再生している再生位置がダイジェストデータＣ１０２ｃの先頭に到達していなければ（ステップＳ３０８のＮＯ）、ダイジェクト再生を継続し、ステップＳ３０７に復帰する。一方、現在、ダイジェスト再生している再生位置が、再生中断位置が含まれている本編章Ｃ１０１ｃに対応するダイジェストデータＣ１０２ｃの先頭に到達して、ダイジェスト再生を終了する状態に至った場合（ステップＳ３０８のＹＥＳ）、もしくは、ステップＳ３０７においてユーザからＡＶデータの本編ファイル１０１の再生指示がなされた場合（ステップＳ３０７のＹＥＳ）、当該ＡＶデータの本編ファイル１０１の対応する章の先頭位置に移動する（ステップＳ３０９）。
【００３７】
例えば、現在のダイジェストファイル１０２の再生位置がダイジェストデータＢ１０２ｂの先頭に到達してダイジェストデータＢ１０２ｂの再生中に、当該ＡＶデータの本編ファイル１０１の再生指示がなされた場合（ステップＳ３０７のＹＥＳ）、本編章Ｂ１０１ｃの先頭位置にジャンプする。あるいは、ＡＶデータ再生装置に記憶されていた再生中断位置が含まれている本編章Ｃ１０１ｃに対応するダイジェストデータＣ１０２ｃの先頭まで、つまり、一つ手前に位置するダイジェストデータＢ１０２ｂの終端までダイジェスト再生が終了した場合（ステップＳ３０８のＹＥＳ）、ダイジェストデータＣ１０２ｃに対応する本編章Ｃ１０１ｃの先頭位置にジャンプする（ステップＳ３０９）。しかる後、当該ＡＶデータの本編ファイル１０１の再生を本編章Ｃ１０１ｃの先頭位置から開始することによって（ステップＳ３１０）、ユーザは、当該ＡＶデータのダイジェスト視聴に引き続いて、未だ再生途中にあり再生を完了していない区間の先頭から、あるいは、再生途中の区間がない場合は未だ全く再生していない区間の先頭から、当該ＡＶデータの本編ファイル１０１の視聴を継続することが可能となる（ステップＳ３１１）。
【００３８】
かくのごとき手順を踏むことによって、ユーザは、以前視聴した当該ＡＶデータの本編部分に対応付けられたダイジェスト部分を先頭から確実に視聴することができ、本編の既に視聴済みの部分（即ち、過去に再生済みの部分）に関する粗筋を理解した上で、未だ視聴していない本編の続きを再生させて視聴することができる。
【００３９】
なお、図３に示す動作例においては、中断した再生中断位置をＡＶデータ再生装置に記憶している例を示したが、本発明においては、再生中断位置をＡＶデータ再生装置に記憶することは必ずしも必要ではない。但し、かかる場合においては、ユーザは、図３に示すステップＳ３０７のように、ダイジェスト再生位置がまだ視聴していないＡＶデータの本編に対応するダイジェスト部分に到達した時点で、ダイジェスト再生から本編再生へ切り替えるトリガを与えることが必要である。
【００４０】
また、図３に示す動作例においては、ＡＶデータ再生装置に記憶された再生中断位置が含まれている例えば本編章Ｃ１０１ｃに対応するダイジェストデータＣ１０２ｃの一つ手前になるダイジェストデータＢ１０２ｂの終端までダイジェストファイル１０２の再生を終了した時点で、ステップＳ３０９に示すように、本編章Ｃ１０１ｃの先頭位置にジャンプする例を示したが、ＡＶデータ再生装置に記憶されていた再生中断位置そのものにジャンプするようにしても良い。
【００４１】
また、図３に示す動作例においては、ユーザが、ＡＶデータの本編ファイル１０１の再生を途中で中断する指示を行なった後で、本編ファイル１０１の続きを再生することに先立って、今までの視聴部分をダイジェスト再生させる場合について説明したが、ユーザが本編ファイル１０１の視聴中にたまたま中座してしまったような場合に、今までに再生された本編ファイル１０１の粗筋を再確認するために、ダイジェスト再生への切り替え指示を行なうことにより、本編の再生モードから、ダイジェスト再生モードに切り替えることも可能である。
【００４２】
次に、本発明に係るＡＶデータ記録方法、ＡＶデータ再生方法、及び、ＡＶデータ記録媒体の第２の実施例として、第２のＡＶデータの構成内容を、第１の実施例に示したダイジェストファイルの代わりに、コンテンツ本編（第１のＡＶデータ）に登場する登場人物に関する人物紹介ファイルを用いる場合について説明する。まず、図１のファイル構成例において、ダイジェストファイル１０２を、本編ファイル１０１（即ち第１のＡＶデータ）に登場する一人以上の登場人物に関する紹介内容からなる人物紹介ファイル１０２′と置換する。ここに、図１に示すダイジェストファイル１０２と置換した人物紹介ファイル１０２′は、人物紹介のＡＶコンテンツを再生するプログラムが記録されたファイルであるが、実施例１の場合と同様に人物紹介のＡＶデータを含むものであっても良い。人物紹介ファイル１０２′は、実施例におけるダイジェストファイル１０２と同様に、人物紹介データＡ１０２′ａ、人物紹介データＢ１０２′ｂ、人物紹介データＣ１０２′ｃ、人物紹介データＤ１０２′ｄに区分けされ、それぞれ、本編章Ａ１０１ａ、本編章Ｂ１０１ｂ、本編章Ｃ１０１ｃ、本編章Ｄ１０１ｄに対応してそれぞれに登場している登場人物に関する人物紹介内容即ち人物の概要を示す付属情報から構成されている。
【００４３】
ここで、各本編章に対応するとは、例えば、人物紹介データＢ１０２′ｂを視聴して判明する或る人物像が、本編章Ｂ１０１ｂまでの本編（第１のＡＶデータ）を視聴することにより判明する人物像であるということを意味している。つまり、後続する次の本編章Ｃ１０１ｃを視聴することにより新たに判明する内容（人物像）は、人物紹介データＢ１０２′ｂを視聴しても判らないようにされている。
また、第１の実施例の場合と同様に、本編ファイル１０１と人物紹介ファイル１０２′とが同一のＡＶデータ記録媒体１０を参照するものであっても、異なるＡＶデータ記録媒体１０から構成されているものであっても構わない。
【００４４】
次に、図１に示すダイジェストファイル１０２の代わりに人物紹介ファイル１０２′がＡＶデータ記録媒体１０に記録されているようなコンテンツを再生する際の動作について図４に示すフローチャートを用いて説明する。ここに、図４は、ＡＶデータ記録媒体１０に記録されているコンテンツの再生中に、人物紹介ファイル１０２′に切り替えて登場人物の人物紹介データを再生する際の動作を説明するための動作フローチャートである。
【００４５】
まず、ユーザは、視聴したいＡＶデータが記録されているＡＶデータ記録媒体１０をＡＶデータ再生装置に装着して、当該ＡＶデータの先頭から第１のＡＶデータである本編ファイル１０１の視聴を開始する（ステップＳ４０１）。ここで、当該ＡＶデータの本編ファイル１０１の視聴途中で、ユーザが今まで視聴した本編ファイル１０１中に登場した登場人物Ａに関する人物像を確認したい場合が生じると、ユーザは登場人物Ａに関する人物紹介モードを起動する指示を行なう（ステップＳ４０２）。かくのごとき人物紹介モードの起動指示は、ボタンやキーを含む如何なるユーザインタフェースであっても構わない。例えば、或るボタンを押下操作して、登場人物の人物像を表示するための人物紹介モードに移行して、人物紹介モードの起動により、中断した本編の章に対応して登場している複数の登場人物を表示し、表示された登場人物の中から、確認したい登場人物Ａを選択ボタンにより選択して指定する操作を行なうようにしても良い。
【００４６】
ＡＶデータの再生を制御するＡＶデータ再生装置は、人物紹介モードの起動により当該ＡＶデータの本編ファイル１０１の再生を中断した位置即ち再生中断位置を一旦記憶した後（ステップＳ４０３）、指定された登場人物Ａの人物像を紹介している人物紹介ファイル１０２′を先頭から再生する（ステップＳ４０４）。ここで、ユーザによってＡＶデータの本編ファイル１０１を再生する動作に復帰する指示ではなく、人物紹介ファイル１０２′の再生指示がなされているので（ステップＳ４０５のＮＯ）、次に、ステップＳ４０３においてＡＶデータ再生装置に記憶されている当該ＡＶデータの本編ファイル１０１の再生中断位置を、現在、人物紹介ファイル１０２′を再生している再生位置と照合する（ステップＳ４０６）。
【００４７】
ここで、記憶されている当該ＡＶデータの本編ファイル１０１の再生中断位置が、例えば図１における本編章Ｃ１０１ｃに含まれていたとすると、対応する人物紹介ファイル１０２′の人物紹介コンテンツは、人物紹介データＣ１０２′ｃである。従って、ステップＳ４０６において、現在、人物紹介ファイル１０２′を再生している再生位置が人物紹介データＣ１０２′ｃの先頭に到達していなければ（ステップＳ４０６のＮＯ）、人物紹介ファイル１０２′の再生を継続し、ステップＳ４０５に復帰する。
【００４８】
一方、現在、人物紹介ファイル１０２′を再生している再生位置が、再生中断位置が含まれている本編章Ｃ１０１ｃに対応する人物紹介データＣ１０２′ｃの先頭に到達して、人物紹介ファイル１０２′の再生を終了する状態に至った場合（ステップＳ４０６のＹＥＳ）、もしくは、ステップＳ４０５においてユーザからＡＶデータの本編ファイル１０１の再生への復帰指示がなされた場合（ステップＳ４０５のＹＥＳ）、当該ＡＶデータの本編ファイル１０１で再生を中断していた位置、即ち、人物紹介データＣ１０２′ｃに対応する本編章Ｃ１０１ｃにおける再生中断位置にジャンプして復帰する（ステップＳ４０７）。
【００４９】
しかる後、当該ＡＶデータの本編ファイル１０１の再生を本編章Ｃ１０１ｃの再生中断位置から開始することによって（ステップＳ４０８）、ユーザは、当該ＡＶデータの登場人物に関する人物紹介データの視聴に引き続いて、当該ＡＶデータの本編ファイル１０１の視聴を継続することが可能となる（ステップＳ４０９）。
【００５０】
かくのごとき手順を踏むことによって、ユーザは、ＡＶデータの本編ファイル１０１の視聴中であっても、今までに視聴した区間の当該ＡＶデータの本編部分に登場している登場人物Ａに関する人物紹介データを先頭から確実に視聴することができる。
【００５１】
なお、図４に示す動作例においては、登場人物Ａという一つのキャラクタのみについて説明したが、本発明は、かかる場合のみに限定されるものではない。即ち、第２のＡＶデータとしては、対応する本編ファイル１０１（第１のＡＶデータ）の各区間毎に登場する一つ以上のキャラクタに関する概要を示す付属情報が記録されていて、ユーザは、該付属情報の種別を１つのみならず複数同時に指定することが可能である。従って、例えばユーザが付属情報の種別として人物紹介モードを選択した際に、今までの視聴区間に登場した複数の登場人物の人物紹介を指定しているような場合、指定された複数の登場人物に関する人物像を紹介する人物紹介データを順次再生させて視聴するようにすることも可能である。更には、付属情報の種別として選択するキャラクタは、登場人物のみに限らず、今までの視聴区間のコンテンツに登場した動物やアイテムなどに関連する関連情報であっても良いし、該コンテンツに含まれるあらゆる要素であっても良い。
【００５２】
次に、前述した第１の実施例の応用例について説明する。通常、ＡＶデータのダイジェストコンテンツであれば、本編の粗筋が編集されていて、本編に比べて短く編集されているものが一般的であるが、本発明においては、ダイジェストコンテンツとして本編に比して長いコンテンツを対応付けても構わない。かかる場合の一例として、ダイジェストコンテンツをサブストーリコンテンツに置換することが可能であり、例えば、本編のコンテンツがノンフィクションの映画などの場合、当時の実録映像を含む資料などを纏めて記録した参考情報コンテンツを、ダイジェストコンテンツとして利用することも可能である。
【００５３】
次に、前述した第２の実施例の応用例について説明する。人物紹介ファイル１０２′として、人物紹介データの代わりに、人物関係をわかり易く紹介するような、静止画、スライドショー、動画などによって構成される登場人物間の人物関係を説明する人物関係解説用コンテンツを用意することとしても良い。かくのごとき人物関係解説用コンテンツを用意することにより、複雑な人物関係をユーザが容易に確認する機能を提供することが可能である。ここで、未だ登場していない人物などは表示しないように、各区間毎に対応付けして人物関係解説用コンテンツを構築することによって、本編ファイル１０１のコンテンツの質を維持することも可能である。
【００５４】
更には、登場人物の人物関係を解説する場合を例にとって前述したが、本発明は、かかる場合のみに限定されるものではなく、例えば、本編の視聴位置に到達するまでの間に、登場人物例えば主人公が取得したアイテムに関する関連情報を参照することができる機能を備えるようにしても良い。
即ち、第２のＡＶデータを構成する、本編（第１のＡＶデータ）の各区間それぞれに関連する情報として、ダイジェストデータやサブストーリコンテンツ、あるいは、登場人物紹介データや人物関係解説用コンテンツや、登場する動物やアイテムなどに関する関連情報や、登場人物が取得したアイテムに関する関連情報などを含む１乃至複数の任意の組み合わせからなる付属情報を、それぞれの付属情報を識別可能なフラグ情報と共に記録させることが可能であり、ユーザは、本編の再生視聴を中断して、第２のＡＶデータのうち、ダイジェストデータ、サブストーリコンテンツ、登場人物紹介データ、人物関係解説用コンテンツ、動物やアイテムなどに関する関連情報、登場人物が取得したアイテムに関する関連情報などの任意の情報を選択して再生させることが可能である。
【００５５】
次に、本発明に係るＡＶデータ記録方法、ＡＶデータ再生方法、及び、ＡＶデータ記録媒体をマルチストーリ型のシナリオを有する本編に適用する方法について説明する。ここで、マルチストーリ型のシナリオとは、図５に一例を示すように、ＡＶデータ本編の再生視聴している途中において、次に再生すべきＡＶシーンの選択をユーザに対して要求することにより、シナリオを分岐させることができるように構成されているものを意味している。図５は、ＡＶデータのマルチストーリ型シナリオ構成の一例を示す模式図である。
【００５６】
例えば、図５に示す例において、ＡＶデータは、シーンＡ  ５０１ａ、シーンＢ１  ５０１ｂ１、シーンＢ２  ５０１ｂ２、シーンＣ１  ５０１ｃ１、シーンＣ２  ５０１ｃ２、シーンＣ３  ５０１ｃ３の各シーンに区分けされてシナリオが構成されている。ここで、シーンＡ  ５０１ａの終端において、シーンＢ１  ５０１ｂ１もしくはシーンＢ２  ５０１ｂ２のいずれを再生するかの選択肢がユーザに提示される。而して、ユーザの選択に応じてシーンＢ１  ５０１ｂ１もしくはシーンＢ２  ５０１ｂ２のいずれかの再生が決定される。更に、シーンＢ１  ５０１ｂ１もしくはシーンＢ２５０１ｂ２のそれぞれの終端において、シーンＣ１  ５０１ｃ１もしくはシーンＣ２５０１ｃ２のいずれを、もしくは、シーンＣ２  ５０１ｃ２もしくはシーンＣ３  ５０１ｃ３のいずれを再生するかの選択肢がユーザに提示される。
【００５７】
かくのごときマルチストーリ型のシナリオに対して、本発明に係るＡＶデータ再生方法を適用する場合、各シーンの境界は、図１に前述した章（チャプタ）の境界と一致していることが望ましい。つまり、図５に示されたシナリオのシーンＡ  ５０１ａ、シーンＢ１  ５０１ｂ１、シーンＢ２  ５０１ｂ２、シーンＣ１  ５０１ｃ１、シーンＣ２  ５０１ｃ２、シーンＣ３  ５０１ｃ３の各シーンのＡＶデータが、章即ち前述の区間に対応して構成され、それぞれのシーン即ち区間に関連する関連情報例えばダイジェストデータが当該シーン即ち区間に対応付けされて存在するように構成されていることが望ましい。
【００５８】
しかしながら、かくのごときマルチストーリ型シナリオ構成のＡＶデータにおいて、例えば、シーンＣ２  ５０１ｃ２のＡＶデータを再生しているときに、シーンＣ２  ５０１ｃ２に関するダイジェストデータを再生したいと思った場合、このままでは、シーンＣ２  ５０１ｃ２のＡＶデータに到達するまでの各シーンとして、シーンＢ１  ５０１ｂ１のＡＶデータを再生してきたのか、シーンＢ２  ５０１ｂ２のＡＶデータを再生してきたのかを区別することができない。而して、シーンＢ１  ５０１ｂ１、シーンＢ２  ５０１ｂ２いずれのＡＶデータに対応するダイジェストデータを再生すれば良いのかを判断することができなくなる。かくのごとき問題を解決するために、各シーンのＡＶデータの再生に至るまでの再生順序をその都度記憶しておくことが必要であり、記憶された再生順序を辿ることによって、各シーンの視聴経過に応じて対応するダイジェストデータを正しく再生することが可能となる。
【００５９】
もしくは、マルチストーリ型シナリオ構成のＡＶデータの場合、図５を改良して次のような構成にすることによっても解決することができる。ここに、図６は、ＡＶデータのマルチストーリ型シナリオ構成の異なる例を示す模式図であり、図５に示す模式図を改良したシナリオ構成を示している。図６に示す構成例において、シーンＣ２  ６０１ｃ２ａとシーンＣ２′ ６０１ｃ２ｂとは同じシーンＣ２を再生するシナリオであるが、同時に、シーンＣ２のＡＶデータの再生に至るまでの再生順序を区間識別情報として含んでいる。即ち、図６の構成においては、各シーン即ち各区間に対応付けされて記録されている関連情報である第２のＡＶデータに、再生するシーンに到達するまでの各シーンに関する識別情報として、ＡＶデータの先頭のシーンから該第２のＡＶデータが対応付けられている当該シーンよりも一つ手前のシーンに至るまでの各シーン即ち各区間を識別することが可能な区間識別情報が含まれている。
【００６０】
即ち、シーンＢ１  ６０１ｂ１、シーンＢ２  ６０１ｂ２に対応する第２のＡＶデータは、シーンＡ  ６０１ａに関する区間識別情報を含んでいる。シーンＣ１  ６０１ｃ１及びシーンＣ２  ６０１ｃ２ａに対応する第２のＡＶデータは、シーンＡ  ６０１ａからシーンＢ１  ６０１ｂ１までに関する区間識別情報を含んでいる。一方、シーンＣ２′  ６０１ｃ２ｂ及びシーンＣ３  ６０１ｃ３に対応する第２のＡＶデータは、シーンＡ  ６０１ａからシーンＢ２  ６０１ｂ２までに関する区間識別情報を含んでいる。
【００６１】
かくのごとき区間識別情報を備えたマルチストーリ型シナリオ構成のＡＶデータに対して、ダイジェスト再生を選択した場合の一例として、例えば、シーンＣ２  ６０１ｃ２ａの再生視聴の途中で視聴を中断したような場合において、中断したＡＶデータの続きの視聴再開を行なうために実施される、当該ＡＶデータに関するダイジェスト再生は、シーンＣ２  ６０１ｃ２ａに対応する第２のＡＶデータに含まれている区間識別情報に応じて、シーンＡ  ６０１ａからシーンＢ１  ６０１ｂ１までに対応するダイジェストデータを直ちに再生することが可能であり、それぞれのダイジェストデータの再生が終了するか、もしくは、ユーザにより本編の再生に戻る指示がなされた時点で、中断していたシーンＣ２  ６０１ｃ２ａの先頭もしくは以前再生を中断した中断再生位置にジャンプすることにより本編を継続して再生することが可能である。
【００６２】
また、図６に示すような区間識別情報を備えたマルチストーリ型シナリオ構成のＡＶデータに対して、第２のＡＶデータとして図４に示したような人物紹介データの再生を適用するような場合の一例として、例えば、シーンＣ２′  ６０１ｃ２ｂの再生の途中で、人物紹介モードを起動するようなトリガを発生させた場合、シーンＣ２′  ６０１ｃ２ｂに対応する第２のＡＶデータに含まれている区間識別情報に応じて、シーンＡ  ６０１ａからシーンＢ２  ６０１ｂ２までに対応する人物紹介データを直ちに再生することが可能であり、それぞれの人物紹介データの再生が終了するか、もしくは、ユーザにより本編の再生に戻る指示がなされた時点で、人物紹介モードを起動するトリガを発生させた時点即ち再生中断位置に戻って本編を継続して再生することが可能である。
【００６３】
以上のようなダイジェストデータの記録・再生方法や人物紹介データの記録・再生方法などのような第２のＡＶデータの記録・再生方法を用いることによって、マルチストーリ型のシナリオを有するＡＶデータの場合であっても、本発明に係るＡＶデータ記録方法、ＡＶデータ再生方法、及び、ＡＶデータ記録媒体を適用することができる。
【００６４】
【発明の効果】
ＤＶＤなどのＡＶデータ記録媒体に記録されるＡＶデータコンテンツのファイル形式として、本発明に係るＡＶデータ記録方法、ＡＶデータ再生方法に基づくファイル形式を適用し、かかるファイル形式に基づいたＡＶデータコンテンツを記録再生することを可能とする、本発明に係るＡＶデータ記録方法、ＡＶデータ再生方法をＡＶデータ記録再生装置に適用することによって、ＡＶデータ本編（第１のＡＶデータ）に関連する別の第２のＡＶデータ（例えば、ダイジェストデータや人物紹介データなど）をＡＶデータ本編と対応付けて視聴することができ、更には、ＡＶデータ本編のうち未視聴である部分に対応する第２のＡＶデータを視聴してしまわないように制御することも可能である。
【００６５】
而して、既に視聴済みの本編に関する粗筋を示すダイジェストデータの再生や、本編に登場する登場人物に関する人物紹介データの再生、登場人物間の人物関係解説データの再生、本編に登場する各種アイテムに関する関連情報の再生、更には、本編の主人公が取得したアイテム取得データの再生などを、ユーザの選択に応じて、本編に対応付けられた第２のＡＶデータとして再生させることにより、行なうことが可能になる。更に、マルチストーリ型のシナリオを有するＡＶデータであっても、本発明に係るＡＶデータ記録方法、ＡＶデータ再生方法、及び、ＡＶデータ記録媒体を適用することができる。
【図面の簡単な説明】
【図１】本発明に係るＡＶデータ記録媒体に記録するＡＶデータに関するファイル構成の一例を示すファイル構成図である。
【図２】各プログラムにより参照されるコンテンツが格納されているトラック構成の一例を示すトラック構成図である。
【図３】ＡＶデータ記録媒体に記録されているコンテンツの再生中断後、ダイジェストデータを再生する際の動作を説明するための動作フローチャートである。
【図４】ＡＶデータ記録媒体に記録されているコンテンツの再生中に、人物紹介ファイルに切り替えて登場人物の人物紹介データを再生する際の動作を説明するための動作フローチャートである。
【図５】ＡＶデータのマルチストーリ型シナリオ構成の一例を示す模式図である。
【図６】ＡＶデータのマルチストーリ型シナリオ構成の異なる例を示す模式図である。
【符号の説明】
１０…ＡＶデータ記録媒体、１０１…本編ファイル、１０１ａ…本編章Ａ、１０１ｂ…本編章Ｂ、１０１ｃ…本編章Ｃ、１０１ｄ…本編章Ｄ、１０２…ダイジェストファイル、１０２′…人物紹介ファイル、１０２ａ…ダイジェストデータＡ、１０２′ａ…人物紹介データＡ、１０２ｂ…ダイジェストデータＢ、１０２′ｂ…人物紹介データＢ、１０２ｃ…ダイジェストデータＣ、１０２′ｃ…人物紹介データＣ、１０２ｄ…ダイジェストデータＤ、１０２′ｄ…人物紹介データＤ、１０３…関連付け情報ファイル、１０３ａ…関連付け情報Ａ、１０３ｂ…関連付け情報Ｂ、１０３ｃ…関連付け情報Ｃ、１０３ｄ…関連付け情報Ｄ、１０３ｅ…関連付け情報Ｅ、２０１…オーディオトラック、２０２…ビデオトラック、２０２ａ，２０２ｂ，２０２ｃ…ダイジェスト用ビデオトラック、２０３ａ，２０３ｂ，２０３ｃ…ダイジェスト用オーディオトラック、５０１ａ…シーンＡ、５０１ｂ１…シーンＢ１、５０１ｂ２…シーンＢ２、５０１ｃ１…シーンＣ１、５０１ｃ２…シーンＣ２、５０１ｃ３…シーンＣ３、６０１ａ…シーンＡ、６０１ｂ１…シーンＢ１、６０１ｂ２…シーンＢ２、６０１ｃ１…シーンＣ１、６０１ｃ２ａ…シーンＣ２、６０１ｃ２ｂ…シーンＣ２′、６０１ｃ３…シーンＣ３。
【図１】
2005025797.tif 000003
【図２】
2005025797.tif 000004
【図３】
2005025797.tif 000005
【図４】
2005025797.tif 000006
【図５】
2005025797.tif 000007
【図６】
2005025797.tif 000008